(57)【要約】【課題】正確な気泡量の検出が可能な気泡量検出システムの提供。【解決手段】液体が送液される導管に装着され、該導管部分に超音波を発振する超音波振動子と該超音波振動子によって発振された超音波を受信する受信側振動子を備えた超音波検出手段および該超音波検出手段の検出結果に基づいて気泡量を算出する気泡量算出手段を有するとともに、前記気泡量算出手段に前記導管を通過する液体の流量に関するデータ及び／又は導管に関するデータを気泡量算出のための補正パラメーターとして取り込むことによって気泡量を算出することを特徴とする気泡量検出システム。【選択図】図１
2005084017.tif 000002
【特許請求の範囲】
【請求項１】
液体が送液される導管に装着され、該導管部分に超音波を発振する超音波振動子と該超音波振動子によって発振された超音波を受信する受信側振動子を備えた超音波検出手段および該超音波検出手段の検出結果に基づいて気泡量を算出する気泡量算出手段を有するとともに、前記気泡量算出手段に前記導管を通過する液体の流量に関するデータを気泡量算出のための補正パラメーターとして取り込むことによって気泡量を算出することを特徴とする気泡量検出システム。
【請求項２】
液体が送液される導管に装着され、該導管部分に超音波を発振する超音波振動子と該超音波振動子によって発振された超音波を受信する受信側振動子を備えた超音波検出手段および該超音波検出手段の検出結果に基づいて気泡量を算出する気泡量算出手段を有するとともに、前記気泡量算出手段に前記導管に関するデータを気泡量算出のための補正パラメーターとして取り込むことによって気泡量を算出することを特徴とする気泡量検出システム。
【請求項３】
流量に関するデータが、医療用装置の導管部分における流量のデータであることを特徴とする請求項１に記載の気泡量検出システム。
【請求項４】
導管に関するデータが、医療用装置の導管部分に関するデータであることを特徴とする請求項２に記載の気泡量検出システム。
【請求項５】
気泡量算出手段における気泡量を算出するパラメーターが、受信側振動子の受信した受信レベル値（電圧変化値）が所定値以下に低下する時間（受信レベル低下時間）、受信レベル値の変化量（電圧変化値）あるいは受信レベル値の変化率であることを特徴とする請求項１〜４のいずれかに記載の気泡検出システム。
【請求項６】
気泡量算出手段における補正パラメーターを用いる気泡量の算出が、送液する液体中に所定の気泡量（実気泡量）を予め存在させて設定流量あるいは導管に関して種々の条件で気泡量の算出を行い、この気泡量算出値と実気泡量との変換結果を示す表（以下、変換表ともいう）を作成し、この変換表を利用して行われることを特徴とする請求項１〜５のいずれかに記載の気泡検出システム。
【請求項７】
気泡量算出手段における補正パラメーターを用いる気泡量の算出が、送液する液体中に所定の気泡量（実気泡量）を予め存在させて設定流量あるいは導管に関して種々の条件で気泡量の算出を行い、この気泡量算出値と実気泡量との比例係数（以下、補正係数αともいう）を導出し、下式（１）に示すようにこの補正係数αを用いて行われることを特徴とする請求項１〜６のいずれかに記載の気泡検出システム。
気泡量＝α×気泡量算出値                      （１）
【請求項８】
気泡量算出手段が情報記憶部分（メモリー）を有し、該メモリーに前記変換表あるいは補正係数αを記憶させたものであることを特徴とする請求項６または７に記載の気泡検出システム。
【請求項９】
気泡量算出パラメーターの受信レベル低下時間が、定常電圧値Ｖｃから一定電圧（気泡判定値）以下に低下するに要する時間（受信レベル低下時間）であって、前記定常電圧Ｖｃが気泡非検出時の電圧値の平均値であることを特徴とする請求項５〜８のいずれかに記載の気泡検出装置。
【請求項１０】
気泡量算出パラメーターの受信レベル値（電圧変化値）の変化量あるいは受信レベル値（電圧変化値）の変化率が、定常電圧値Ｖｃと気泡検出時に低下する電圧との差に基づいて算出されたものであることを特徴とする請求項５〜８のいずれかに記載の気泡検出装置。
【請求項１１】
請求項１〜１０のいずれかに記載の気泡量検出システムを搭載した医療用装置。
【請求項１２】
医療用装置が透析装置、輸液装置あるいは人工心肺装置であることを特徴とする請求項１１に記載の医療用装置。
【請求項１３】
医療用装置の流量検出装置あるいは送液手段によって得られた流量データを前記気泡量検出システムに送信し、前記気泡量検出システムの補正パラメーターとして利用することを特徴とする請求項１１または１２に記載の医療用装置。
【請求項１４】
医療用装置が透析装置であって、気泡量検出システムが透析操作における気泡検出および／またはプライミング操作時の気泡量検出に使用可能なことを特徴とする請求項１１〜１３のいずれかに記載の医療用装置。
【発明の詳細な説明】
【技術分野】
【０００１】
本発明は、導管内を流れる液体の気泡量、特に微小量（微小体積）の気泡を含む気泡量、例えば医療用装置の導管内を流れる血液または輸液に混入した微小気泡を含む気泡量を誤検知せずに、正確に定量することのできる気泡量の検出システム、および該気泡量の検出システムを搭載した医療用装置に関する。
【背景技術】
【０００２】
医療施設において、輸液・輸血を行う際に誤って患者体内に気泡を注入しないように、気泡検出装置が利用されることは少なくない。その場合、透明でない薬液や血液にも適応可能なように、検出手段の１つとして、超音波が利用されてきた。例えば下記特許文献１および２に示すような手段が知られている。しかし、実際に気泡を含む液中に混入した気泡の量を正確に定量するのは困難であった。
【０００３】
【特許文献１】実開昭５９−１９１６６２号
【特許文献２】特公平６−６４０１６号
【発明の開示】
【発明が解決しようとする課題】
【０００４】
従来、前記特許文献１および２に示すように、液に混入した気泡量の検出は、気泡通過時の受信信号が一定電圧（気泡判定値）以下に低下した時間（受信レベル低下時間）を比例的な換算により算出するものは知られている。しかし、この手段によると、実際には気泡量と受信レベル低下時間は比例関係に乏しいため、超音波検出装置による測定値から算定した気泡量と実際の気泡量との誤差が大きく、正確な気泡量の検出ができないという問題があった。
【０００５】
図７は従来の検出装置によって、受信レベルの低下時間Ｔ1から、気泡検出する仕組みを模式的に示したものである。従来の気泡検出は、超音波の受信レベル（電圧）の波形４から、基準となる電圧以下に低下した時間である低下時間Ｔ1を計測することのみで行われた。しかし、上記低下時間Ｔ1と気泡量との比例関係は乏しく、上述のように前記の気泡量の検出判定方法では正確な気泡量を検出判定することはできなかった。これは、単泡の気泡体積（μｌ）が大きく、振動子のかなりの面積を占めるものであれば、受信電圧はほとんど０となるので、比較的正確な気泡量を検出判定することができるが、逆に単泡の気泡体積（μｌ）が小さい場合には気泡量の算出に使用される前記低下時間Ｔ1と気泡量との相関性は少なくなる。図６は従来の気泡検出装置による微小気泡の検出が、どのような状態で行われるかを模式的に示すものであるが、従来の気泡センサでは振動子１の流れ方向の幅（Ｌ）は通常３ｍｍ程度であるのに対して、一般的に微小気泡とされる０．３〜１．０μｌの気泡２は、直径が０．８３〜１．２４ｍｍであるため、チューブ３内を通過する微小気泡の投影面は完全に振動子内に包含されるように、振動子面積に対して単泡の気泡体積（μｌ）が、相対的に著しく小さいため、従来法による気泡量の検知における大きな誤差の原因となっていた。
【課題を解決するための手段】
【０００６】
本発明者は先に（１）気泡によって増減した受信レベルの変動値、あるいは受信レベル変動量と、（２）受信レベル低下時間の少なくとも２つのパラメーターを気泡量算出パラメーターとして利用することによって、導管内の気泡を精度良く検出、また定量することを提案している（特願２００３−１２２６１６）。
本発明者はさらに検討の結果、表１〜４に示されるように導管内腔を流れる液量（流速）、導管に関するデータが気泡量算出に影響を及ぼすこと、さらには超音波振動子の形状も気泡量算出に影響を及ぼすこと（以下、前記各要件を補正パラメーターという）を見出し、この技術的知見に基づいて前記補正パラメーターを上記特願２００３−１２２６１６の気泡検出手段や他の気泡量算出パラメーターを用いる他の気泡検出手段に採用することにより前記補正パラメーターの及ぼす気泡量算出に及ぼす影響を修正して従来の気泡量検出システムに比較してより正確な定量を行うことが可能な気泡量検出システムを提供することができた。
【０００７】
前記導管に関するデータとしては、例えば導管径の大きさ（内径、外径）や肉厚、さらには導管を構成する材料等の導管に関するデータが挙げられる。これは、例えば図８に示すようにバネ１７等によって気泡センサーの超音波振動子で導管を挟持した場合、導管径の大きさ（内径、外径）や肉厚、さらには導管を構成する材料等によって、図９に示すように導管の振動子への接触面積が影響を受けるからである。さらに、補正パラメーターとしては、導管に接触する超音波振動子のセンサーの形状あるいは寸法等が挙げられる。
本発明においては液量（流速）あるいは導管に関する補正パラメーターのどちらか一方を用いることで、気泡検出の精度が改善できるが、前記のそれぞれの補正パラメーターを採用すればより正確な気泡量の算出が可能となる。
【０００８】
本発明の第１は、内腔に液体が送液される導管に装着され、該導管部分に超音波を発振する超音波振動子と該超音波振動子によって発振された超音波を受信する受信側振動子を備えた超音波検出手段および該超音波検出手段の検出結果に基づいて気泡量を算出する気泡量算出手段を有するとともに、前記気泡量算出手段に前記導管を通過する液体の流量に関するデータを気泡量算出のための補正パラメーターとして取り込むことによって気泡量を算出することを特徴とする気泡量検出システムにある。
【０００９】
前記本発明の気泡量検出システムによると、気泡量を正確に検出することが必要な医療用装置、例えば透析装置、輸液装置、人工心肺装置などに利用すれば、気泡量を正確に検出するために、検出装置を複雑化することなく、あるいは複雑な操作を採用することなく、簡単にかつ正確な気泡量の検出を行うという目的が達成できる。
すなわち、透析装置には血液ポンプ、輸液装置や人工心肺装置には送液ポンプが搭載されており、かつこれら医療用装置は血液ポンプや送液ポンプによる流量（流速）検出手段も具備しているので、この流量（流速）検出手段によって得られた設定流量データを前記気泡量検出システムに送信し、前記気泡量検出システムの補正パラメーターとして利用することによって前記目的の達成が可能となる。また、前記医療用装置の導管部分に流量（流速）検出手段を有する場合には、この流量（流速）検出手段によって得られた流量（流速）データを前記補正パラメーターとして利用してもよい。さらに前記透析装置、輸液装置や人工心肺装置においては、該装置中を通過する流量（流速）が状況に応じて変更されることがあるが、このような流量（流速）の変更が行われたとしても、本発明の気泡量検出システムによると常に簡単、かつ正確に気泡量の検出を行うことができる。前記医療用装置が備えた流量（流速）検出手段によって得られた流量（流速）データは、例えば通信用回路等のインターフェースを介して気泡量算出手段に伝達される。特に医療用装置が透析装置である場合、気泡量検出システムが透析操作における気泡検出のみならず、プライミング操作時の気泡量検出に有効である。
【００１０】
本発明の第２は、内腔に液体が送液される導管に装着された前記導管に超音波を発振する超音波振動子と該超音波振動子によって発振された超音波を受信する受信側振動子を備えた超音波検出手段および該超音波検出手段の検出結果に基づいて気泡量を算出する気泡量算出手段を有するとともに、前記気泡量算出手段に前記導管に関するデータを気泡量算出のための補正パラメーターとして取り込むことによって算出気泡量を修正することを特徴とする気泡量検出システムにある。
すなわち、本発明の気泡量検出システムは、内腔に液体が送液される導管に装着された前記導管に超音波を発振する超音波振動子と該超音波振動子によって発振された超音波を受信する受信側振動子を備えた超音波検出手段および該超音波検出手段の検出結果に気泡量算出手段を有する気泡量検出システムにおいて、前記導管に関するデータを前記気泡量算出手段に気泡量を算出するための補正パラメーターとして取り込むことによって、より正確な気泡量を算出することが可能な気泡量検出システムを提供することができた。
【００１１】
また、前記補正パラメーターを用いる気泡量の算出は、送液する液体中に所定の気泡量（実気泡量）を予め存在させて前記補正パラメーターに関して種々の条件で気泡量の算出を行い、この気泡量算出値と実気泡量との変換結果を示す表（変換表）を作成し、この変換表を利用するか、あるいは前記気泡量の算出値と実気泡量との比例係数（補正係数α）を導出し、この補正係数αを用いて下式（１）に示すように気泡量の算出値を修正することによって正確な気泡量を簡単に算出することができる。
気泡量＝α×気泡量算出値                      （１）
前記変換表あるいは補正係数αは、例えば気泡量算出手段の情報記憶部分（メモリー）に記憶させ、利用させることができる。
【００１２】
本発明の気泡量検出システムにおける気泡量算出パラメーターとしては、例えば受信側振動子の受信した受信レベル値（電圧変化値）が所定値以下に低下する時間（受信レベル低下時間）、受信レベル値の変化量（電圧変化値）あるいは受信レベル値の変化率が挙げられる。
前記受信レベル低下時間は定常電圧値Ｖｃから一定電圧（気泡判定値）以下に低下した時間（受信レベル低下時間）であり、また、前記定常電圧Ｖｃは気泡非検出時の電圧値の平均値である。また、前記の気泡量算出パラメーターの受信レベル値（電圧変化値）の変化量あるいは受信レベル値（電圧変化値）の変化率は定常電圧値Ｖｃと気泡検出時に低下する電圧との差に基づいて算出されたものである。
【００１３】
以下、本発明に係る気泡検出装置を図により詳細に説明する。
１．装置全体
図２は、本発明の１つの実施例である気泡検出装置全体の構成概略を示すブロック図である。図２において、発振回路５は導管３の両側に挟着された超音波振動子１ａに連絡されている。なお、発振回路の連絡する超音波振動子１ａは超音波を発振する側であり、対向して導管に装着された超音波振動子１ｂは、超音波を受信する側である。導管内に気泡２が存在すると、発振側振動子１ａから発振された超音波は、減衰した状態で受信側振動子１ｂに受信される。
さらに、受信側振動子１ｂに連絡しているのは、それぞれ順番に増幅回路６、整流回路７である。増幅回路６は受信側振動子１ｂの受信した電圧を増幅する機能を有し、整流回路７は振幅変化を取り出す機能を有する。整流回路７は受信レベル値が所定値以下に低下した時間（受信レベル低下時間Ｔ）を測定する波形形状測定回路８に連絡される。波形形状測定回路８は、通常、Ａ−Ｄ変換器（Ａｎａｌｏｇ−Ｄｉｇｉｔａｌ  Ｃｏｎｖｅｒｔｏｒ）が使用される。このＡ−Ｄ変換器で測定された受信レベル低下時間Ｔは、気泡量の値を算出する気泡量算出手段１０に送信される。この気泡量算出手段１０では、送信された前記受信レベル低下時間Ｔ、あるいは受信レベル値の変化量（電圧変化値）あるいは受信レベル値の変化率と設定流量（実流量）または流速、導管に関するデータ、超音波振動子（センサ）１の形状等の補正パラメーターを用いて気泡量が算出される。
【００１４】
２．波形形状測定回路
波形形状測定回路８には、図３に示すようにＡ−Ｄ変換器１４が組み込まれ、Ａ−Ｄ変換器１４によって受信レベル低下時間Ｔの算出が以下のようにして行われる。
先ず、気泡の存在の判定基準となる気泡判定電圧Ｖｓを設定する。気泡判定電圧Ｖｓは、検知したいと考える最小径（体積）の気泡が通過した場合の電圧低下量から決定されるが、通常は定常電圧Ｖｃの−２％〜−１０％に設定する。電圧測定値が、上記の気泡判定電圧Ｖｓ以下になったときの時間（図４におけるｔ２−ｔ１）が、受信レベル低下時間Ｔである。受信レベル低下時間Ｔは、導管内を通過するのにかかる時間（通過時間）を示す指標となる。ここで、定常電圧ＶＣは導管とセンサ（振動子）の接触状態などで変動することがあるため、マイクロコンピュータでＡ−Ｄ変換器の電圧値を気泡通過の検知に影響しない時間の平均値とする。
この定常電圧の変化を電気回路で補正するため、増幅回路６に自動振幅制御機能付き（ＡＧＣ）増幅器を採用しても良い。そのような構成にすることにより、センサの接触状態に起因する受信電圧の変動があっても、増幅器の出力振幅が一定に維持されるので、定常電圧を常時平均化処理する必要が無くなる。その結果、気泡判定電圧Ｖｓは固定電圧値にすることができ、マイクロコンピュータの負担を軽減できる。
【００１５】
受信レベル低下時間Ｔは、図５に示すコンパレータ１５によって、比較信号（整流回路７からの受信レベル値）と基準値ＶＳ（気泡判定電圧）を比較することによって測定される。図４の下方に示す気泡検出判定出力１６の時間Ｔを読み取ることによっても可能である。図４は気泡検出における経時的な受信レベル変化の波形と、コンパレータから算出された気泡検出判定出力１６との関係を示す模式図である。
【００１６】
３．気泡量算出手段
上記の波形形状測定回路で得られた受信レベル低下時間Ｔから気泡量を算出するために、以下に説明する気泡量算出手段１０を使用する。この気泡量算出手段１０には前記受信レベル低下時間Ｔに加えて前記補正パラメーターに関するデータが入力され、前記気泡量検出パラメーターと補正パラメーターを利用して気泡量が算出されるので正確な気泡量の算出が可能となる。
前記補正パラメーターを利用する気泡量の算出は、例えば前記変換表１１あるいは補正係数αを用いて簡単に行うことができる。例えば、補正係数αを用いる場合、気泡量をＸ、受信レベル低下時間をＴとすると、Ｘ  ∝  αＴの式を用いて、簡単、かつ正確に気泡量を算出することができる。また、前記変換表１１を採用する場合、各補正パラメーターはデータ間に一定の比率が成立するので、各補正パラメーターは使用される頻度が高いパラメーター値のみについて変換表を準備して例えばメモリーに記憶させ、この変換表に記載が無い場合には、この変換表を利用して補間計算を採用することでより少ないデータで気泡量の算出が可能となる
さらに前記補正パラメーターを用いる気泡量の検出手段としては、基準となる液流量Ｖ１と使用時の液流量Ｖ２を設定し、この流量比（Ｖ２／Ｖ１）と受信レベル低下時間Ｔとの積によっても、単純かつ容易に気泡量Ｘを算出することができる。
【００１７】
４．気泡量積算手段および警報発生装置
微小気泡は一定量以上、人体に流入すると、障害を与える危険性があるため、流入した微小気泡を気泡量積算手段１３により積算できるようにしておき、その積算値が設定量以上に達したときに、警報装置や送液装置に対し、何らかの指令・制御を行うものが望ましい。例えば、単位時間当りに、気泡の積算量が０．１ｍｌ以上になった場合、自動的に警報等を発し、さらに送液ポンプの停止、あるいは導管を閉止するなどの措置を行うものであり、それによって、医療従事者の負担が軽減される。
【００１８】
次に気泡量の算出を行う場合において、流量（流速）や導管の影響について、以下に説明する。
１．流量（流速）の影響
表４に示すチューブを使用し、そのチューブ内に既知の気泡量（０．３〜２０μｌ）を混入して、送液ポンプの流量（速）を１００ｍｌ／ｍｉｎおよび２５０ｍｌ／ｍｉｎと変化させ送液したとき、気泡量が電圧低下量、または低下率にどのように影響するか実験した。この実験結果を表１および２に示す。実験結果から電圧低下率（表中では、変化率）は気泡量と良好な相関性を示し、通過時間は流量によって大きく影響を受けるが、電圧低下率は通過時間ほど流量に影響されないことが判った。
【００１９】
【表１】
2005084017.tif 000003
【００２０】
【表２】
2005084017.tif 000004
【００２１】
２．導管に関するデータの影響
表４に示す細径肉薄、太径肉厚および太径肉薄の各チューブに、既知の０．３μｌ、０．６μｌ、１．０μｌおよび２．０μｌの気泡を注入し、送液流量２５０ｍｌ／ｍｉｎで固定して気泡の無いときの受信電圧である約１．４Ｖから１０％低下の通過時間（ｍＳ）を測定した結果を下記表３に示す。
【００２２】
【表３】
2005084017.tif 000005
前表の結果より、同じ気泡量が通過した場合であっても、所定の電圧低下率に要する通過時間（ｍＳ）は導管に関するデータの影響を大きく受けることが判る。
なお、前表３および４に記載の細径と太径および肉厚および肉薄という導管径および導管肉厚に関する記載は、導管径および導管肉厚に関して特定基準に基づいて表現したものではなく、前記３種類のチューブの導管径および導管肉厚を相対的に表現したものである。
【００２３】
【表４】
2005084017.tif 000006
【発明の効果】
【００２４】
本発明によれば、気泡量を前記気泡量検出パラメーターと補正パラメーターの両者を考慮して、気泡量を算出するため、導管の寸法、超音波の減衰を測定するセンサの形状・寸法、導管内を流れる液の流速などの各因子による気泡量の検出誤差が低く抑えられる。また、本発明の構成は特別な装置を必要とするものではないため、簡単に実施可能である。そのため、様々な状況の下で、微小量（微小体積）の気泡を正確に且つ容易に定量することが可能となる。
ただし、本発明の気泡量検出システムは、例えば体積が０．３〜１．０μｌ程度の単泡のみならず、これら微小量（微小体積）の気泡よりも体積の大きい気泡であっても、これら気泡を含む液体が導管を通過する液体の流量に関するデータおよび／または導管に関するデータを気泡量算出のための補正パラメーターとして取り込むことによって正確に気泡量を算出することが可能である。
【発明を実施するための最良の形態】
【００２５】
補正パラメーターとして流量（実流量）を使用した本発明の気泡量検出システムを透析装置に使用し、微小量（微小体積）の気泡を含む前記透析装置の気泡量を簡単かつ正確に測定することができた。
【実施例１】
【００２６】
図１に基づいて説明する。
半透膜を介して血液と透析液とを接触させ浄化する血液透析器（図示せず）、血液を循環させる血液循環系（図示せず）、透析液を送液ならびに排液する透析液給排液系（図示せず）、前記血液循環系に設けた血液ポンプ、該血液ポンプの回転速度や回転方向を制御するモーター制御回路、該モーター制御回路に血液ポンプの流量（実流量）あるいは流速を設定するための回転速度や回転方向の情報を送信し該モーター制御回路を制御する制御回路（ＣＰＵ）、および透析装置の気泡量を測定する導管部分に装着された該導管部分に超音波を発振する超音波振動子と該超音波振動子によって発振された超音波を受信する受信側振動子を備えた超音波検出手段と該超音波検出手段の検出結果に基づいて気泡量を算出する気泡量算出手段を有するとともに、前記気泡量算出手段に前記血液ポンプの回転数によって設定された血液流の設定流量データを気泡量算出のための補正パラメーターとして送信し、この算出手段において前記補正パラメーターと受信レベル低下時間をリンクさせることによって正確な気泡量を算出することが可能な透析装置。
本実施例の透析装置においては、補正パラメーターとして前記の血液量の設定流量データに加えて、内径と肉厚、内径と外径あるいは外径と肉厚の導管に関する寸法のデータを使用しても良い。
【図面の簡単な説明】
【００２７】
【図１】本発明の気泡量検出システムを採用した透析装置における気泡量算出方法を示す概念図。
【図２】本発明の換算表を使用する気泡量検出システムの概略を示すブロック図。
【図３】Ａ−Ｄ変換器１４が組み込まれた波形形状測定回路８の構成概略を示す模式図。
【図４】気泡検出における経時的な受信レベル変化の波形と、コンパレータから算出された気泡検出判定出力１６との関係を示す模式図。
【図５】気泡検出の際、受信レベル低下時間を読み取るためのコンパレータの模式図。
【図６】従来の気泡検出装置での問題点を示すための概念図。
【図７】従来の気泡検出装置によって、気泡検出を行う原理を示す概念図。
【図８】発振側振動子および受信側振動子とチューブの接触状態を示す図である。
【図９】導管に関するデータによって発振側振動子および受信側振動子とチューブの接触状態が変化することを説明した図である。
【符号の説明】
【００２８】
１．超音波振動子
１ａ．発振側振動子
１ｂ．受信側振動子
２．気泡
３．導管（チューブ）
４．受信レベル波形
５．発振回路
６．増幅回路
７．整流回路
８．波形形状測定回路
１０．気泡量算出手段
１１．変換表
１２．警報発生装置
１３．気泡量積算手段
１４．Ａ−Ｄ変換器
１５．コンパレータ
１６．気泡検出判定出力
１７．バネ
１８．発振側振動子
１９．受信側振動子
２０．チューブ
２１．チューブ
２２．チューブ
Ｖｃ．定常電圧
Ｖｓ．気泡判定電圧
ＶＢ．電圧最低点
Ｔ１．受信レベル（電圧）低下時間
Ｔ．受信レベル低下時間
Ｌ．超音波振動子の流路方向の幅
ｔ１．電圧測定値が気泡判定電圧Ｖｓ以下となる点
ｔ２．電圧測定値が気泡判定電圧Ｖｓ以下の終点
【図１】
2005084017.tif 000007
【図２】
2005084017.tif 000008
【図３】
2005084017.tif 000009
【図４】
2005084017.tif 000010
【図５】
2005084017.tif 000011
【図６】
2005084017.tif 000012
【図７】
2005084017.tif 000013
【図８】
2005084017.tif 000014
【図９】
2005084017.tif 000015